(57)【要約】  【課題】マンホールを容易に補修できるマンホール補修用パネルを提供する。  【解決手段】  マンホール補修用パネル１をマンホール４の本体11の内周面に取り付けて本体11の内周面を覆う。マンホール４の本体11の内周面とマンホール補修用パネル１のパネル本体21の外周面との間の間隙に充填材５を充填して固める。マンホール４の内周面にコンクリートを盛り直して補修する場合に比べ、作業に熟練を要せず仕上がりにばらつきが出ない。マンホール４をライニングして補修する場合に比べ、大掛かりな設備が必要ない。マンホール４の補修作業を容易かつ確実にできる。  【選択図】図１
2005155122.tif 000002
【特許請求の範囲】
【請求項１】
略筒状のマンホールの内面との間に充填材を注入する空間を形成して取り付けられて、このマンホールを補修するマンホール補修体であって、
前記マンホールの内面よりも小さい筒状体を複数に分割した形状の本体部と、
この本体部の幅方向における一側部に設けられ、この本体部を前記マンホールの内面に充填材を介して取り付けた際に、このマンホールの内面側に向けて突出する側面部と、
前記本体部の幅方向における一側部および他側部の少なくともいずれか一方に設けられ、前記本体部を互いに嵌合可能とする嵌合部と
を具備したことを特徴としたマンホール補修体。
【請求項２】
略筒状のマンホールの内面よりも小さい筒状体を複数に分割した形状の複数の略板状のマンホール補修体を前記マンホールの内面に取り付けて、これら複数のマンホール補修体にて前記マンホールの内面を覆い、
これらマンホール補修体と前記マンホールの内面との間の空間に充填材を充填して前記マンホールを補修する
ことを特徴としたマンホールの補修方法。
【発明の詳細な説明】
【技術分野】
【０００１】
本発明は、マンホールを補修するマンホール補修体およびマンホールの補修方法に関する。
【背景技術】
【０００２】
従来、この種のマンホールとしては、コンクリート製のものが広く用いられており、長期間に亘る使用によるコンクリートの浸食によって、このマンホールの内部が腐食によってぼろぼろになってしまうおそれがある。
【０００３】
そこで、この種のマンホールを補修する方法として、このマンホールの内部に新たなコンクリートを盛り直したり、このマンホールの内部に合成樹脂製のシートを導入して、このシートを膨らませてマンホールの内面に密着させてから、スチームなどによって加熱硬化あるいは紫外線による光硬化などによって硬化させて、マンホールの内部をライニングする方法などが知られている(例えば、特許文献１参照。)。
【特許文献１】特開平５−５９７３９号公報（第３−４頁、図１−５）
【発明の開示】
【発明が解決しようとする課題】
【０００４】
しかしながら、上述のようにマンホールの内面に新たにコンクリートを盛り直す方法では、作業に熟練を要するため、作業者によって仕上がりにばらつきが出るおそれがあるから、マンホールの補修が容易ではない。
【０００５】
また、合成樹脂製のシートをマンホール内で膨らまして、このマンホールの内部をライニングする方法では、このマンホールを比較的短時間で補修できるが、大がかりな設備が必要となってしまうから、このマンホールの補修が容易ではないという問題を有している。
【０００６】
本発明は、このような点に鑑みなされたもので、マンホールを容易に補修できるマンホール補修体およびマンホールの補修方法を提供することを目的とする。
【課題を解決するための手段】
【０００７】
請求項１記載のマンホール補修体は、略筒状のマンホールの内面との間に充填材を注入する空間を形成して取り付けられて、このマンホールを補修するマンホール補修体であって、前記マンホールの内面よりも小さい筒状体を複数に分割した形状の本体部と、この本体部の幅方向における一側部に設けられ、この本体部を前記マンホールの内面に充填材を介して取り付けた際に、このマンホールの内面側に向けて突出する側面部と、前記本体部の幅方向における一側部および他側部の少なくともいずれか一方に設けられ、前記本体部を互いに嵌合可能とする嵌合部とを具備したものである。
【０００８】
そして、略筒状のマンホールの内面よりも小さい筒状体を複数に分割した形状の本体部の幅方向における一側部に設けた側面部の端部をマンホールの内面側に向けた状態で、この本体部をマンホールの内面に取り付ける。この後、この本体部の幅方向における一側部および他側部の少なくともいずれか一方に設けた嵌合部に、他の本体部に設けた嵌合部を嵌合させつつ、この他の本体部をマンホールの内面に取り付ける。この状態で、これら本体部とマンホールの内面との間の空間に充填材を充填して、このマンホールを補修する。この結果、作業者によって仕上がりにばらつきが出なくなり、大掛かりな設備が必要ないので、マンホールの補修が容易にできる。
【０００９】
請求項２記載のマンホールの補修方法は、略筒状のマンホールの内面よりも小さい筒状体を複数に分割した形状の複数の略板状のマンホール補修体を前記マンホールの内面に取り付けて、これら複数のマンホール補修体にて前記マンホールの内面を覆い、これらマンホール補修体と前記マンホールの内面との間の空間に充填材を充填して前記マンホールを補修するものである。
【００１０】
そして、略筒状のマンホールの内面よりも小さい筒状体を複数に分割した形状の複数の略板状のマンホール補修体をマンホールの内面に取り付けて、これら複数のマンホール補修体にてマンホールの内面を覆う。この状態で、これらマンホール補修体とマンホールの内面との間の空間に充填材を充填してマンホールを補修する。この結果、作業者によって仕上がりにばらつきが出なくなり、大掛かりな設備が必要ないので、マンホールの補修が容易にできる。
【発明の効果】
【００１１】
請求項１記載のマンホール補修体によれば、側面部の端部をマンホールの内面側に向けた状態で、本体部をマンホールの内面に取り付けた後、この本体部の嵌合部に、他の本体部の嵌合部を嵌合させつつ、この他の本体部をマンホールの内面に取り付けてから、これら本体部とマンホールの内面との間の空間に充填材を充填して、このマンホールを補修することにより、作業者によって仕上がりにばらつきが出ず、大掛かりな設備が必要ないので、マンホールを容易に補修できる。
【００１２】
請求項２記載のマンホールの補修方法によれば、マンホール補修体をマンホールの内面に取り付けて、これら複数のマンホール補修体にてマンホールの内面を覆った後、これらマンホール補修体とマンホールの内面との間の空間に充填材を補充してマンホールを補修することにより、作業者によって仕上がりにばらつきが出ず、大掛かりな設備が必要ないので、マンホールを容易に補修できる。
【発明を実施するための最良の形態】
【００１３】
以下、本発明のマンホール補修体の第１の実施の形態の構成を図１ないし図１１を参照して説明する。
【００１４】
図１ないし図１１において、１はマンホール補修体としてのマンホール補修用パネルで、このマンホール補修用パネル１は、例えば図１および図２に示すように、下水管の流入管２と流出管３との間に接続され地中に埋設された既設の１号マンホール４内に取り付けられる。すなわち、このマンホール補修用パネル１は、マンホール４内を改修して補修する直壁用パネルであり、このマンホール４の補修に使用するパネルである。
【００１５】
さらに、このマンホール補修用パネル１は、モルタル、コンクリートミルあるいは発泡樹脂などの充填材５を介してマンホール４の内周面に取り付けられて、このマンホール４を補修する。また、このマンホール補修用パネル１は、例えばＰＶＣ、すなわちポリ塩化ビニルなどの合成樹脂、すなわちホルソなどによる穴あけ加工や電動のこぎりなどによる切断あるいは切欠加工などが容易な材質にて成形されている。
【００１６】
そして、このマンホール４は、コンクリートにて略円筒状に成形された本体11を備えている。この本体11の上流側には、流入管２に連通した円形状の流入口12が開口形成されている。この流入口12と対向する本体11の下流側には、流出管３と連通した円形状の流出口13が開口形成されている。
【００１７】
また、本体11内には、モルタルが流し込められて、この本体11の流入口12と流出口13とを連通する断面半円形状である凹弧状のインバート部14が形成されている。このインバート部14の軸方向における両側には、側方である外側に向けて上方に傾斜した一対の傾斜面部15a,15bが形成されている。これら一対の傾斜面部15a,15bは、本体11の外側から内側に向けて下方に傾斜している。さらに、インバート部14には、本体11の流入口12側から流出口13側に向けて下方に傾斜した流水傾斜面部としての流水勾配16が形成されている。
【００１８】
一方、マンホール補修用パネル１は、図３ないし図８に示すように、横断面凹弧状の平板体である本体部としてのパネル本体21を備えている。そして、このパネル本体21は、マンホール４の本体11の内周面の内径寸法よりも充填材５を充填する厚さ分小さい外径寸法を有する筒状体である仮想の円筒体を周方向に向けて複数、例えば６個に分割、すなわち６分の１に等分した形状に形成されている。すなわち、このパネル本体21は、計６個のマンホール補修用パネル１のパネル本体21の幅方向に沿った側部間を当接させて組み合わせて連結させることにより、マンホール４の本体11の内周面よりも径小な円筒体の枠が形成されるように構成されている。
【００１９】
また、このパネル本体21は、マンホール４の本体11の内周面の内径寸法よりも若干小さな外径寸法の横断面凹弧状の内側面を有している。また、このパネル本体21の内側面は、このパネル本体21をマンホール４の本体11の内周面に対向させて取り付けた際に、この本体11の軸方向としての上下方向に沿うように形成されている。なお、このパネル本体21の内周面は、ＰＶＣ樹脂などの合成樹脂により一体成型されているから、このパネル本体21の内周面が美麗に仕上げられている。したがって、施工後の表面仕上げが不要となる。
【００２０】
さらに、このパネル本体21の幅方向における両側縁部である両端部には、細長矩形平板状の側面部としての側壁部22a,22bがそれぞれ一体的に設けられている。これら側壁部22a,22bそれぞれは、パネル本体21の径方向に沿って突出している。言い換えると、これら側壁部22a,22bのそれぞれは、パネル本体21の径方向外側に伸びている。
【００２１】
また、これら一対の側壁部22a,22bは、パネル本体21の幅方向に対して直交した幅方向を有しているとともに、このパネル本体21の長手方向に沿った長手寸法を有している。すなわち、これら一対の側壁部22a,22bは、パネル本体21をマンホール４の本体11の内周面に充填材５を介して対向させて取り付けた際に、この本体11の内周面側に向けて垂直に突出するように構成されている。
【００２２】
さらに、これら一対の側壁部22a,22bは、これら一対の側壁部22a,22bそれぞれの先端部をマンホール４の本体11の内周面に当接させてパネル本体21を本体11内に設置させた際に、このパネル本体21の外周面と本体11の内周面との間に所定の幅である厚さ寸法を有する凹弧状の間隙Ａを形成させる。ここで、この間隙Ａは、パネル本体21の外側面と本体11の内周面との間に充填材５を充填させる充填材充填空間である。したがって、一対の側壁部22a,22bは、パネル本体21の外周面と本体11の内周面との間に充填材５を充填するための充填厚さに等しい幅寸法を有している。
【００２３】
また、パネル本体21の軸方向である長手方向に沿った一端縁部である上端縁部には、このパネル本体21の径方向に沿った上面視凹弧状の上側壁部23が一体的に設けられている。この上側壁部23は、パネル本体21の長手方向に対して直交する幅寸法を有しているとともに、このパネル本体21の幅方向に沿った長手寸法を有している。また、この上側壁部23は、一対の側壁部22a,22bそれぞれの幅寸法に等しい幅寸法を有している。
【００２４】
ここで、これら一対の側壁部22a,22bおよび上側壁部23のそれぞれには、開口部としての長穴状の複数の連通孔25が、これら一対の側壁部22a,22bおよび上側壁部23それぞれの長手方向に沿って離間されて開口されている。これら複数の連通孔25は、パネル本体21とマンホール４の本体11との間に充填材５を注入して流し込ませるための注入口であるとともに、この充填材５を隙間無く充填させて固めるための通気口として機能する連通穴である。そして、この連通孔25は、一対の側壁部22a,22bおよび上側壁部23それぞれの幅寸法よりも若干小さな幅寸法を有している。
【００２５】
また、この連結孔25は、図１および図７ないし図９に示すように、この上側壁部23の長手方向に沿って離間された状態で、この上側壁部23に２つずつ形成されている。さらに、この連通孔25は、図３ないし図６に示すように、一対の側壁部22a,22bのそれぞれに、これら一対の側壁部22a,22bの長手方向に沿って等間隔に離間されて４つずつ形成されている。
【００２６】
そして、これら各連通孔25間には、一対の側壁部22a,22bおよび上側壁部23それぞれの両側縁部間を連結させるフランジ面としての平板状のフランジ部26がそれぞれ一体的に形成されている。これらフランジ部26は、複数のマンホール補修用パネル１を互いに連結させて、これら複数のマンホール補修用パネル１にてマンホール４の本体11の内周面を覆う際に、上側壁部23上へのパネル本体21の下端縁の設置を容易にさせるとともに、一方の側壁部22a,22bへの他方の側壁部22a,22bの当接を容易にさせる。
【００２７】
一方、パネル本体21の幅方向における一方の側縁部である一側縁部には、このパネル本体21の幅方向に沿って突出した細長矩形平板状の嵌合手段としての嵌合部である嵌合片部27が一体的に設けられている。この嵌合片部27は、パネル本体21の幅方向に一致した幅方向を有しているとともに、このパネル本体21の長手方向に沿った長手方向を有している。また、この嵌合片部27は、一方の側壁部22bの基端部に設けられている。そして、この嵌合片部27の幅方向は、側壁部22bの幅方向に直交している。
【００２８】
さらに、パネル本体21の幅方向における他方の側縁部である他側縁部には、このパネル本体21の幅方向に沿った上面視段状の嵌合手段としての被嵌合部である嵌合段部28が一体的に設けられている。この嵌合段部28は、パネル本体21の一側縁部に設けた嵌合片部27に嵌合するように形成されている。言い換えると、この嵌合段部28は、嵌合片部27に嵌合可能な形状に形成されている。すなわち、この嵌合段部28は、嵌合片部27の幅方向に等しい幅寸法を有しており、パネル本体21の長手方向に沿って形成されている。
【００２９】
よって、この嵌合段部28および嵌合片部27は、いずれか一のマンホール補修用パネル１の嵌合段部28に、いずれか他のマンホール補修用パネル１の嵌合片部27を嵌合させることにより、これらマンホール補修用パネル１のパネル本体21を互いに嵌合可能とさせて、これらマンホール補修用パネル１をマンホール４の周方向に沿って連結させて位置決めさせる。
【００３０】
また、図２ないし図４および図１１に示すように、このマンホール補修用パネル１のパネル本体21には、コンクリート釘30の軸部31を挿通させて、このコンクリート釘30にてマンホール補修用パネル１をマンホール４の内周面に固定させる釘挿通孔29が穿設されている。この釘挿通孔29は、コンクリート釘30の軸部31の外径寸法に略等しい内径寸法を有している。さらに、この釘挿通孔29は、パネル本体21の幅方向における中央部に設けられている。また、この釘挿通孔29は、パネル本体21の長手方向における上側部と下側部とのそれぞれに形成されている。なお、この釘挿通孔29は、図示しない後施工アンカーなどを取り付けるための取付用孔としても使用できる。
【００３１】
さらに、このパネル本体21の内周面には、このパネル本体21の幅方向に沿った水平線としての複数の補助線32が設けられている。これら複数の補助線32は、パネル本体21の長手方向に向けて所定の間隔を介して等間隔に設けられている。すなわち、これら複数の補助線32は、パネル本体21を幅方向に沿って切断する際に、このパネル本体21の幅方向に沿った切断を容易にする補助線として機能する。言い換えると、これら複数の補助線32は、マンホール補修用パネル１をマンホール４の本体11内に設置させた際に、このマンホール補修用パネル１のパネル本体21を長手方向におけるいずれの位置で切断すればよいかを容易に判断させる。
【００３２】
次に、上記第１の実施の形態のマンホール補修用パネルを用いたマンホールの補修方法について説明する。
【００３３】
下水管の流入管２および流出管３に接続されたマンホール４が、長期間に渡る使用により、ひび割れまたは各接続部分が劣化してしまい、このマンホール４の外部から雨水または地下水などが浸入してしまうおそれがある場合は、まず、流入管２内に流入する排水を停止させる。
【００３４】
次いで、このマンホール４の流入管２および流出管３それぞれの内部を入念に掃除した後、これら流入管２および流出管３それぞれの内部にライニング管33,34をそれぞれ挿入させてから膨らました状態で硬化させて形成させる。このとき、これら流入管２および流出管３のそれぞれに取り付けられたライニング管33,34を、マンホール４の流入口12および流出口13のそれぞれよりも内側に突出させる。
【００３５】
この後、このマンホール４の流入口12および流出口13から突出したライニング管33,34の位置関係や、これらライニング管33,34の外径寸法に合わせて、任意のマンホール補修用パネル１のパネル本体21に穴や切り欠きなどの嵌合凹部35,36を形成する。同時に、このマンホール４のインバート部14および傾斜面部15a,15bの形状に合わせて、これらマンホール補修用パネル１を必要に応じて切断する。
【００３６】
さらに、このマンホール４のインバート部14、傾斜面部15a,15bおよび本体11の内周面を入念に掃除した後、図１、図２および図９ないし図１１に示すように、このマンホール４の流入口12および流出口13それぞれの近傍である直下のインバート部14および傾斜面部15a,15bを必要に応じて掘り返して上面視凹弧状の掘返凹部37,38をそれぞれ形成する。このとき、これら掘返凹部37,38がマンホール４の流入管２および流出管３内へのライニング管33,34の形成の際に予め形成されている場合には、これら掘返凹部37,38を改めて形成する必要はない。
【００３７】
次いで、このマンホール４の流入口12側の掘返凹部37に、流入口12から突出したライニング管33が嵌合される嵌合凹部35を形成したマンホール補修用パネル１の下端部を挿入させるとともに、このマンホール補修用パネル１の嵌合凹部35をライニング管33に嵌合させて、このマンホール補修用パネル１の各側壁部22a,22bの端部をマンホール４の本体11の内周面に当接させる。
【００３８】
さらに、このマンホール４の流出側の掘返凹部38に、流出口13から突出したライニング管34が嵌合される嵌合凹部36を形成したマンホール補修用パネル１の下端部を挿入させるとともに、このマンホール補修用パネル１の嵌合凹部36をライニング管34に嵌合させて、このマンホール補修用パネル１の各側壁部22a,22bをマンホール４の本体11の内周面に当接させる。
【００３９】
この後、これらマンホール補修用パネル１の両側間に、他のマンホール補修用パネル１を順次取り付けていく。このとき、これら他のマンホール補修用パネル１の下端部をマンホール４のインバート部14あるいは傾斜面部15a,15bの外周縁部に沿って当接させて取り付けるとともに、これら他のマンホール補修用パネル１の嵌合片部27および嵌合段部28を、これら他のマンホール補修用パネル１に隣接して取り付けられたマンホール補修用パネル１の嵌合片部27および嵌合段部28に嵌合させる。
【００４０】
このとき、これら他のマンホール補修用パネル１の各側壁部22a,22bの端部をマンホール４の本体11の内周面に当接させるとともに、これら各マンホール補修用パネル１の連通孔25のそれぞれを互いに連通させて、計６個のマンホール補修用パネル１にてマンホール４の本体11の内周面を周方向に亘って覆う。
【００４１】
この後、これらマンホール補修用パネル１それぞれの上側壁部23上に、さらに他のマンホール補修用パネル１の下端部を順次設置させて積み上げるとともに、これらマンホール補修用パネル１それぞれの各側壁部22a,22bの端部をマンホール４の本体11の内周面に当接させて、これらマンホール補修用パネル１の連通孔25を互いに連通させ、これら複数のマンホール補修用パネル１でマンホール４の本体11の内周面の全面を覆う。
【００４２】
この状態で、各マンホール補修用パネル１の各釘挿通孔29にコンクリート釘30の軸部31を挿通させて、これらコンクリート釘30を本体11の内周面に打ち付けて、これら各マンホール補修用パネル１のそれぞれを本体11の内周面に固定させる。
【００４３】
さらに、マンホール４の各掘返凹部37,38に対して、これら各掘返凹部37,38に嵌合された各マンホール補修用パネル１それぞれの下端部を目地止めするとともに、このマンホール４の傾斜面部15a,15bおよびインバート部14に対して、各マンホール補修用パネル１それぞれの下端部を目地止めする。
【００４４】
このとき、マンホール４の本体11の内周面の凹凸によって、これらマンホール補修用パネル１の嵌合片部27と嵌合段部28との間や、これらマンホール補修用パネル１の上側壁部23とパネル本体21の下端縁との間に隙間ができてしまった場合には、この隙間も一緒に目地止めする。
【００４５】
この後、これら各マンホール補修用パネル１のうち、最も上側に位置するマンホール補修用パネル１の上側壁部23の連通孔25から充填材５を注入して、これら各マンホール補修用パネル１のパネル本体21の外周面とマンホール４の本体11の内周面との間に形成された間隙Ａ全体に充填材５を流し込んで充填させて固めさせる。
【００４６】
なお、これら各マンホール補修用パネル１をマンホール４の本体11の内周面に複数段取り付ける前に、このマンホール４の本体11の内周面を計６個のマンホール補修用パネル１で周方向に亘って覆う毎に充填材５を充填させて、さらにもう一段マンホール補修用パネル１を積んで、マンホール４の本体11の内周面に周方向に亘って積み上げてもよい。
【００４７】
さらに、この充填材５が十分に固まった後、マンホール４の流入口12に接続された流入管２に対する排水の流入の停止を解除させて、このマンホール４の補修作業を終了させる。
【００４８】
上述したように、上記第１の実施の形態によれば、複数のマンホール補修用パネル１をマンホール４の本体11の内周面に取り付けて、この本体11の内周面を覆った後、この本体11の内周面と複数のマンホール補修用パネル１のパネル本体21の外周面との間に形成される間隙Ａに充填材５を充填して固めることにより、このマンホール４の本体11を補修できる。
【００４９】
このため、マンホール４の本体11の内周面にコンクリートを盛り直して、このマンホール４を補修する場合に比べ、作業に熟練を要せず、このマンホール４を補修する作業者によって仕上がりにばらつきが出ない。また、マンホール４の本体11をライニングして補修する場合に比べ、大掛かりな設備が必要ないので、このマンホール４の補修作業が作業者によらず容易かつ確実にできる。
【００５０】
さらに、各マンホール補修用パネル１のパネル本体21の内周面がＰＶＣ樹脂などで一体成型されているので、このマンホール補修パネル１のパネル本体21の内周面が美麗に仕上げられている。このため、これら各マンホール補修用パネル１にてマンホール４の本体11の内周面を覆ってから、これら各マンホール補修用パネル１とマンホール４の本体11との間の間隙Ａに充填材５を充填させて硬化させるだけで、このマンホール４を補修できる。したがって、このマンホール４を補修する際の表面仕上げが不要となるから、このマンホール４の補修作業をより容易にできる。
【００５１】
また、各マンホール補修用パネル１のパネル本体21を、マンホール４の本体11の内周面の内径寸法よりも充填材５を充填する厚さ分小さい外径寸法を有する円筒体を周方向に沿って均等に６等分した形状とした。この結果、これら各マンホール補修用パネル１が同一形状となるので、これら各マンホール補修用パネル１を同一の金型で製造できる。よって、これらマンホール補修用パネル１の製造性を向上できるとともに、在庫管理などを容易にでき、作業者の使い勝手を向上できる。
【００５２】
さらに、各マンホール補修用パネル１の各側壁部22a,22bの幅寸法を、これら各マンホール補修用パネル１のパネル本体21の外周面と本体11の内周面との間に充填材５を充填するための充填厚さに等しくした。このため、これら各マンホール補修用パネル１それぞれの各側壁部22a,22bをマンホール４の本体11の内周面に当接させて設置するだけで、これら各マンホール補修用パネル１を容易に位置決めできる。よって、これら各マンホール補修用パネル１をマンホール４内に取り付ける作業をより容易にできる。
【００５３】
また、各マンホール補修用パネル１の各側壁部22a,22bおよび上側壁部23のそれぞれにフランジ部26を設けた。このため、これらフランジ部26を互いに当接させながら各マンホール補修用パネル１を設置させていくことにより、これら各マンホール補修用パネル１上に他のマンホール補修用パネル１を設置する作業や、これら各マンホール補修用パネル１の側部に隣接して他のマンホール補修用パネル１を設置する作業をより容易にできる。したがって、これらマンホール補修用パネル１を取り付けてマンホール４の内周面を覆う作業をより容易にできる。
【００５４】
このとき、これら各マンホール補修用パネル１の両側縁部に互いに嵌合可能な嵌合片部27と嵌合段部28とを設けた。このため、マンホール４の周方向に沿って隣接して設置されるマンホール補修用パネル１の互いの嵌合片部27と嵌合段部28とを嵌合させて、これらマンホール補修用パネル１それぞれをマンホール４内に設置できる。よって、これらマンホール補修用パネル１を周方向に沿って連結させる作業が容易にできるので、これらマンホール補修用パネル１の仮組みが容易にできるから、これらマンホール補修用パネル１の取付作業をより確実かつ容易にできる。
【００５５】
また、これら各マンホール補修用パネル１の各側壁部22a,22bおよび上側壁部23のそれぞれに、これら各マンホール補修用パネル１にてマンホール４の本体11の内周面を覆った際に互いに連通する連通孔25を設けた。このため、これら各マンホール補修用パネル１にてマンホール４の本体11の内周面を覆った状態で、いずれかのマンホール補修用パネル１の上側壁部23の連通孔25から充填材５を充填するだけで、これら各マンホール補修用パネル１のパネル本体21の外周面とマンホール４の本体11の内周面との間の間隙Ａ全体に充填材５を流し込ませることができる。よって、これら各マンホール補修用パネル１を充填材５を介してマンホール４の内周面に固定させる作業を容易にできるので、このマンホール４の補修作業をより容易にできる。なお、必要に応じて各マンホール補修用パネル１の上側壁部23の連通孔25から充填材５を充填しても良い。
【００５６】
さらに、最も下段に設置されるマンホール補修用パネル１は、マンホール４の下端部にインバート部14や流入口12、流出口13が形成されているため、これらインバート部14や流入口12、流出口13の形状に合わせて下端部を切断する必要があるが、このとき、このマンホール補修用パネル１が理想とする形状とはずれて切断されてしまう場合がある。したがって、これらずれて切断されたマンホール補修用パネル１を組み合わせてマンホール４の内周面を覆った場合には、これらマンホール補修用パネル１の上端部が同一の高さに揃わなくなる。
【００５７】
このとき、これらマンホール補修用パネル１のうち、上端部が出っ張ったマンホール補修用パネル１の上に他のマンホール補修用パネル１を積み上げる際に、このマンホール補修用パネル１のパネル本体21の内周面に形成した複数の補助線32の何本目かに沿わせて、このマンホール補修用パネル１を切断すれば、他のマンホール補修用パネル１と同一の高さにできるかが容易に判断できるので、この際におけるマンホール補修用パネル１の切断作業を容易にできる。
【００５８】
次に、本発明の第２の実施の形態を図１２および図１３を参照して説明する。
【００５９】
この図１２および図１３に示すマンホール補修用パネル１は、図１ないし図１１に示すマンホール補修用パネル１と同一であるが、これらマンホール補修用パネル１にてマンホール４の本体11の内周面を覆った後に、これらマンホール補修用パネル１の内側に保持手段としてのパネル固定補強部材であるアングルリング41を取り付けて保持したものである。
【００６０】
そして、このアングルリング41は、図１２に示すように、マンホール４の本体11の内周面を計６個のマンホール補修用パネル１にて周方向に亘って覆った状態で、これら各マンホール補修用パネル１のパネル本体21の内周面上に取り付けられて、これら各マンホール補修用パネル１のそれぞれを径方向に向けて押圧して、これら各マンホール補修用パネル１をマンホール４の本体11の内周面に保持させて位置決め固定させる。
【００６１】
さらに、このアングルリング41は、計６個のマンホール補修用パネル１にてマンホール４の本体11の内周面を覆った状態で、これらマンホール補修用パネル１のパネル本体21の内径寸法に等しい外径寸法を有する仮想の円環体を、この円環体の径方向に沿って２分割した形状のリング本体42を備えている。すなわち、このリング本体42は、マンホール補修用パネル１のパネル本体21の内周面の曲率に略一致した曲率のリング状を径方向に沿って２等分した形状に形成されている。また、このリング本体42は、上面視円弧状であり、マンホール補修用パネル１の厚さ寸法に略等しい幅寸法を有している。
【００６２】
また、このリング本体42の外周縁には、このリング本体42の軸方向に沿って突出した円弧状の当接片部43が一体的に設けられている。この当接片部43は、細長平板状の板体を長手方向に沿って円弧状に湾曲させた形状に形成されている。また、この当接片部43は、計６個のマンホール補修用パネル１を周方向に向けて円筒状に互いに連結させた状態で、これらマンホール補修用パネル１の内径寸法に略等しい外径寸法を有している。
【００６３】
さらに、リング本体42の幅方向における中央部には、このリング本体42をマンホール補修用パネル１のパネル本体21の内周面上に連結させるための取付手段としてのビスである連結ピン44の軸部45が挿通可能な複数のピン挿通孔46が穿設されている。これらピン挿通孔46は、各リング本体42の内周面に１５゜間隔で３つずつ形成されている。すなわち、これらピン挿通孔46は、リング本体42の周方向に沿って等間隔に離間された状態で設けられている。
【００６４】
また、マンホール４の本体11の内側面には、円形状の枝管流入口51が開口されている。この枝管流入口51内には、円筒状のライニング管52が嵌挿された状態で設けられている。このライニング管52は、枝管流入口51の開口縁よりもマンホール４の本体11の内側へと突出している。
【００６５】
よって、このマンホール４の本体11の内側面に複数のマンホール補修用パネル１を取り付けて補修する際には、この本体11の枝管流入口51に対向して設置されるマンホール補修用パネル１のパネル本体21に、枝管流入口51から突出したライニング管52が嵌合される嵌合凹部53を形成する。このとき、この嵌合凹部53は、２つのマンホール補修用パネル１の中間部に、これら２つのマンホール補修用パネル１のそれぞれに亘って設けられている。
【００６６】
さらに、マンホール補修用パネル１の嵌合凹部35,36に嵌合されたライニング管33,34のそれぞれは、目地止めされている。また、これらマンホール補修用パネル１の嵌合凹部35,36に嵌合されたライニング管33,34の目地止めされた部分の下端部である掘返凹部37,38は、この目地止めの後にモルタルなどの充填材55が充填されて固められている。
【００６７】
したがって、複数のマンホール補修用パネル１にてマンホール４の本体11の内周面を覆った後、この本体11とマンホール補修用パネル１との間の間隙Ａに充填材５を充填して硬化させることによって、このマンホール４の本体11の内周面を補修できるから、上記第１の実施の形態と同様の作用効果を奏することができる。
【００６８】
さらに、これら複数のマンホール補修用パネル１にてマンホール４の本体11の内周面を覆った後であって、これらマンホール補修用パネル１とマンホール４との間の間隙Ａに充填材５を流し込む前の状態で、これらマンホール補修用パネル１のパネル本体21の内周面よりも内側に計２個のアングルリング41を挿入する。この後、これらアングルリング41の当接片部43の長手方向を各マンホール補修用パネル１の幅方向にそれぞれ沿わせた状態で、これらアングルリング41の長手方向における端部同士を当接させて円形とさせつつ、これら各アングルリング41の当接片部43を各マンホール補修用パネル１のパネル本体21の内周面に当接させる。
【００６９】
この状態で、これらアングルリング41の各ピン挿通孔46に連結ピン44の軸部45を挿通させて、これら各連結ピン44の軸部45を各マンホール補修用パネル１のパネル本体21の内周面に打ち込んで、これらアングルリング41のそれぞれを各マンホール補修用パネル１の周方向に亘った全体に取り付けて固定させて、これらアングルリング41にて各マンホール補修用パネル１をマンホール４の本体11の内周面に位置決め固定させる。
【００７０】
この結果、これら複数のマンホール補修用パネル１にてマンホール４の本体11の内周面を覆った状態で、これらマンホール補修用パネル１の周方向に亘って計２個のアングルリング41を連結させて取り付けることにより、これらアングルリング41にて複数のマンホール補修用パネル１を周方向に亘ってマンホール４の本体11の内周面に押圧して位置決め固定できる。よって、これらアングルリング41を用いることにより、マンホール補修用パネル１をマンホール４の本体11の内周面に取り付けて、これらマンホール補修用パネル１でマンホール４の本体11の内周面を覆う作業をより確実かつ容易にできるから、このマンホール４の補修作業をより容易にできる。
【００７１】
なお、上記第２の実施の形態では、マンホール４の本体11の内周面に取り付けた計６個のマンホール補修用パネル１の周方向に亘ってアングルリング41を連結させて、これら計６個のマンホール補修用パネル１を位置決め固定させたが、このアングルリング41の外径寸法をマンホール補修用パネル１のパネル本体21の内径寸法よりも若干大きく構成し、このアングルリング41にてマンホール補修用パネル１を仮止めしてマンホール４の本体11の内周面に押さえ付けた状態で、これらマンホール補修用パネル１とマンホール４との間に充填した充填材５が硬化した後に、このアングルリング41を各マンホール補修用パネル１から取り外してもよい。
【００７２】
さらに、上記各実施の形態では、マンホール４の本体11が円筒体の場合について説明したため、この本体11の内周面を覆うマンホール補修用パネル１を、円筒体を周方向に向けて６等分した形状に形成したが、この本体11の内周面を覆うことのできる形状であれば、６等分以外の多等分や、それぞれの形状が異なるように不等分したマンホール補修用パネル１であっても、対応させて用いることができる。
【００７３】
このとき、マンホール補修用パネル１を周方向に亘って連結させたものの内周面あるいは外周面が円筒状以外の形状、例えば断面多角形の筒状体の場合であっても、複数のマンホール補修用パネル１でマンホール４の本体11の内周面を覆うことができる形状であれば、これらマンホール補修用パネル１をマンホール４の本体11の内周面に対応させて用いることができる。
【００７４】
また、いわゆる特殊マンホールのように、内周面の一部が円弧状で一部が凹状のマンホール４であっても、このマンホール４の内周面の形状に合わせて、種々のマンホール補修用パネル１を構成すれば、これら種々のマンホール補修用パネル１を組み合わせることによって、対応させて用いることができる。すなわち、パネル本体21の内側面が平坦なマンホール補修用パネル１や、パネル本体21の内周面が多角形状であるマンホール補修用パネル１であってもよい。
【００７５】
さらに、同一形状の複数のマンホール補修用パネル１を用いてマンホール４の本体11の内周面を覆ったが、これらマンホール補修用パネル１の何分の１かの円周幅である幅寸法を有する小さなマンホール補修用パネル１を形成して用いることもできる。
【００７６】
このとき、マンホール４の本体11に対して流入管２と流出管３とが軸方向を一致させて、すなわちストレートに接続されておらず、これら流入管２と流出管３との軸方向が屈曲して本体11に接続されている場合で、マンホール補修用パネル１に形成すべき嵌合凹部35,36が、このマンホール補修用パネル１の側壁部22a,22bを突き通して開口させなければならない状況であっても、小さな円周幅のマンホール補修用パネル１を用いて嵌合凹部35,36を形成すべきマンホール補修用パネル１の取り付け位置をずらす。この結果、このマンホール補修用パネル１の側壁部22a,22bを突き通して嵌合凹部35,36を開口しなければならないことを回避できる。
【００７７】
さらに、各マンホール補修用パネル１の上側壁部23にフランジ部26を設けたが、この上側壁部23や各マンホール補修用パネル１の下端部に設けた図示しない下側壁部の少なくともいずれか一方にのみフランジ部26を設けてもよい。
【００７８】
ここで、マンホール４の流入口12および流出口13直下のインバート部14を掘り返して掘返凹部37,38を形成して、これら流入口12および流出口13の下部からの地下水の浸入を防止したが、これら流入口12および流出口13以外の傾斜面部15a,15bと本体11との間から浸入水が浸入している場合には、マンホール補修用パネル１で傾斜面部15a,15bと本体11との間を覆って目地止めするから、マンホール４の流入口12および流出口13の下部のように傾斜面部15a,15bを掘り返す必要がなくなる。
【００７９】
また、このマンホール４の流入口12および流出口13に取り付けられたライニング管33,34の一方から隣接する側へと順番に回りながらマンホール補修用パネル１を取り付けたが、これらライニング管33,34のそれぞれにマンホール補修用パネル１を取り付けてから、このマンホール４の本体11の内周面をマンホール補修用パネル１にて覆ってもよい。
【００８０】
さらに、計５個のマンホール補修用パネル１が連続してマンホール４の本体11の内周面に取り付けた状態で、これらマンホール補修用パネル１間に、他のマンホール補修用パネル１を取り付けて、マンホール４の本体11の内周面を周方向に亘って覆う場合には、この他のマンホール補修用パネル１の嵌合片部27および嵌合段部28のそれぞれを隣接するマンホール補修用パネル１に嵌合させる都合上、この他のマンホール補修用パネル１を弾性変形させて挿入して無理やり嵌合させたり、この他のマンホール補修用パネル１を上側からスライドさせて嵌合させることができる形状にするとよい。
【図面の簡単な説明】
【００８１】
【図１】本発明の第１の実施の形態のマンホール補修体にてマンホールを補修した状態を示す説明上面図である。
【図２】同上マンホール補修体にてマンホールを補修した状態を示す説明断面図である。
【図３】同上マンホール補修体を示す正面図である。
【図４】同上マンホール補修体を示す背面図である。
【図５】同上マンホール補修体を示す左側面図である。
【図６】同上マンホール補修体を示す右側面図である。
【図７】同上マンホール補修体を示す上面図である。
【図８】同上マンホール補修体を示す底面図である。
【図９】同上マンホール補修体をマンホールの流入口側に取り付けた状態を示す説明上面図である。
【図１０】同上マンホール補修体をマンホールの流入口側に取り付けた状態を示す説明断面図である。
【図１１】図１０中のａ−ａ断面図である。
【図１２】本発明の第２の実施の形態のマンホール補修体にてマンホールを補修した状態を示す説明断面図である。
【図１３】同上マンホール補修体にてマンホールを補修した状態を示す説明上面図である。
【符号の説明】
【００８２】
１    マンホール補修体としてのマンホール補修用パネル
４    マンホール
５    充填材
21    本体部としてのパネル本体
22a,22b    側面部としての側壁部
27    嵌合部としての嵌合片部
28    嵌合部としての嵌合段部
Ａ    空間としての間隙
【図１】
2005155122.tif 000003
【図２】
2005155122.tif 000004
【図３】
2005155122.tif 000005
【図４】
2005155122.tif 000006
【図５】
2005155122.tif 000007
【図６】
2005155122.tif 000008
【図７】
2005155122.tif 000009
【図８】
2005155122.tif 000010
【図９】
2005155122.tif 000011
【図１０】
2005155122.tif 000012
【図１１】
2005155122.tif 000013
【図１２】
2005155122.tif 000014
【図１３】
2005155122.tif 000015